(57)【要約】      （修正有）【課題】ガン操作用ハンドルとストッパ操作用ハンドルを同時に片手で操作し，溶接ガンの電極開放量を切換えるカム式開放量切換えストッパ装置を提供する。【解決手段】ガン操作用ハンドル２とストッパ操作用ハンドルｂの両方が同時に直接片手で操作が可能なように溶接用ガンに配置され，ピストンロッドの段差とエンドカバー３間に進退して電極開放量を規制するストローク規制用の揺動式スッパ６と該揺動式ストッパの一端に滑動自在に接触して該揺動式ストッパを開閉させる揺動式カムａからなり，該揺動式カムは揺動式カム用軸４を介して前記ストッパ操作用ハンドｂに接続され前記ガン操作用ハンドル２を握った状態で直接操作できるものであって，前記ストローク規制用の前記揺動式ストッパ６は弾性部材８で常に閉状態に復帰する構造である。【選択図】図２
0003144946.tif 000002
【実用新案登録請求の範囲】
【請求項１】
溶接用ガンの電極開放量を規制する切替えストッパ装置において，ガン操作用ハンドルとストッパ操作用ハンドルの両方が同時に直接片手で操作が可能なように溶接用ガンに配置され，ピストンロッドの段差とエンドカバー間に進退して電極開放量を規制するストローク規制用の揺動式スッパと該揺動式ストッパの一端に滑動自在に接触して該揺動式ストッパを開閉させる揺動式カムからなり，該揺動式カムは揺動式カム用軸を介して前記ストッパ操作用ハンドルに接続され前記ガン操作用ハンドルを握った状態で直接操作できるものであって，前記ストローク規制用の前記揺動式ストッパは弾性部材で常に閉状態に復帰する構造を特徴とする電極開放量を規制する切替えストッパ装置。
【考案の詳細な説明】
【技術分野】
【０００１】
本考案は，溶接ガンに関し,更に詳しくは段階的に開放量の切替えが必要な溶接ガンのカム式開放量切替えストッパ装置に関する。
【背景技術】
【０００２】
従来技術として，加圧シリンダのピストンと結合されたストローク調整ロッドに固定された係止部材とブラケットに取付けられたストッパ部を当接させて，戻りストロークを規制するものが知られている。（例えば，特許文献１参照。）
【０００３】
この方式の場合，ストッパを外すための手動ハンドルはストッパに固定されている。一般的に，溶接ガンの操作は握りスイッチとハンドル等を両手で保持して目的位置へ案内する。しかし，本案の溶接ガンの場合，ストローク切替えストッパを操作するときに片方の手は溶接ガンの保持ハンドル等から手を離し，その手でストッパ操作してストローク切替え操作を行う為，この状態で溶接ガンを操作すると溶接ガンの位置が不安定になると言う問題がある。
【特許文献１】登録実用新案３０２３３０５号公報
【考案の開示】
【考案が解決しようとする課題】
【０００４】
従来方式には次のような欠点があるので，これを解決する事が課題である。
【０００５】
溶接ガンの開放量切替えストッパのハンドルと溶接ガンの操作用ハンドルが離れている為操作性
が悪く，操作に熟練を要す。
【０００６】
溶接ガンの開放量切替えストッパのハンドルを操作する時に，片方の手は手動ハンドルを操作する為に溶接ガンから離れ，溶接ガンを他方の手で操作する為，危険である。
【０００７】
溶接ガンの開放量切替えストッパのハンドルを操作する時に，片方の手は手動ハンドルを操作する為に溶接ガンから離れ，溶接ガンを他方の手で操作する為，溶接ポイント（打点位置）が定まり難い。
【課題を解決するための手段】
【０００８】
本考案は，上記課題を解決するために，請求項１により，  溶接用ガンの電極開放量を規制する切替えストッパ装置において，ガン操作用ハンドルとストッパ操作用ハンドルの両方が同時に直接片手で操作が可能なように溶接用ガンに配置され，ピストンロッドの段差とエンドカバー間に進退して電極開放量を規制するストローク規制用の揺動式スッパと該揺動式ストッパの一端に滑動自在に接触して該揺動式ストッパを開閉させる揺動式カムからなり，該揺動式カムは揺動式カム用軸を介して前記ストッパ操作用ハンドに接続され前記ガン操作用ハンドルを握った状態で直接操作できるものであって，前記ストローク規制用の前記揺動式ストッパは弾性部材で常に閉状態に復帰する構造である。
【考案の効果】
【０００９】
溶接ガン操作用ハンドルを持ったまま揺動式ストッパの操作ができる為，溶接ポイント（打点位置）が定まり易く，且つ危険性がない。
【００１０】
揺動式ストッパ開放時に溶接ガンを片手で保持する必要がないので，操作がやり易い。
【００１１】
揺動式カムで揺動式ストッパを操作する方式である為，レバー比によって少ない動きで大きな揺動動作を得ることができる。
【考案を実施するための最良の形態】
【００１２】
以下,本考案の一実施形態について説明する。本実施形態は，Ｃ形溶接ガンの例示ですが，要部以外は通常の溶接用ガンにつき，説明は省略する。
【００１３】
図１から図４において。中間アーム１に加工されているタップ穴にガン操作用ハンドル２が組み付けられていて，エンドカバー３には揺動式カム用軸４が組み付けられている。前記揺動式カム用軸４は回転可能な構造体で，その先端には前記揺動式ストッパ６を開閉させる為の揺動式カムａが付いている。また，操作側にはストッパ操作用ハンドルｂがあって，該ストッパ操作用ハンドルｂを指で操作する（引き上げる）と前記揺動式カム用軸４が回転し，先端についている前記揺動カムａを揺動させる。
【００１４】
前記揺動カムａは前記揺動式ストッパ６を揺動させる為の押し出部ｃと，自身の反対方向への揺動止め部ｄを有している。前記揺動式ストッパ６はエンドカバー３に軸５によって組付けられており，該軸５を中心として揺動運動が可能で，該揺動運動によってピストンロッドの段差ｅから逃がしたり，若しくは受け止めたりする事ができる。
【００１５】
開放量の切替えは，前記揺動式ストッパ６で前記ピストンロッドの段差ｅを受け止めた時が小開放，該段差ｅを逃がしてシリンダを全開放させた時が大開放となる。
【００１６】
前記揺動式ストッパ６は，弾性部材８によって常に前記ピストンロッド７側に引き寄せられ，その位置を保持している。前記揺動式カムａの揺動により前記揺動式ストッパ６の側面が押し込まれ，それにより該揺動式ストッパ６の揺動動作が始まるが，その時，前記弾性部材８の張力と相反しながら前記ピストンロッド７から離れる。前記揺動式ストッパ６の揺動範囲を規制する為の限界決めとして、止めねじ９が前記エンドカバー３に組み付けてある。前記揺動式ストッパ６が前記止めねじ９に当り，それ以上は揺動動作ができない構造になっていて，前記弾性部材８の塑性変形を防止している。
【００１７】
前記ガン操作用ハンドル２と前記ストッパ操作用ハンドルｂの配置は，人差し指と中指の二本で該ストッパ操作用ハンドルｂを引き上げる事が可能で，他の指と手のひらで該ガン操作用ハンドル２が持てる位置関係となっている
【図面の簡単な説明】
【００１８】
【図１】本実施形態の正面図である。
【図２】図１のＡ矢視図である。
【図３】図１の下面図である。
【図４】本実施形態の切替えストッパ装置の詳細図である。
【符号の説明】
【００１９】
１    中間アーム
２    ガン操作用ハンドル
３    エンドカバー
４    揺動式カム用軸
５    軸
６    揺動式ストッパ
７    ピストンロッド
８    弾性部材
９    止めねじ
ａ    揺動式カム
ｂ    ストッパ操作用ハンドル
ｃ    押し出部
ｄ    止め部
ｅ    ピストンロッドの段差
【図１】
0003144946.tif 000003
【図２】
0003144946.tif 000004
【図３】
0003144946.tif 000005
【図４】
0003144946.tif 000006